(57)【要約】【課題】本発明は、画期的なスキーストックのグリップ構造を提供することを目的とする。【解決手段】スキーストックを構成する棒状部材１の上部に設けられるグリップ構造であって、グリップ本体２の上部には覆い体６が連設され、この覆い体６はグリップ本体２を握持する手の親指３ａと人差し指３ｂとの間の指間部分５に位置する係止部６Ａと、この係止部６Ａに連設され、手のこう部分４を覆う覆い部６Ｂとから成り、前記覆い部６Ｂの下端とグリップ本体２との間には手のこう部分４が位置する空間Ｓが形成され、更に、該覆い部６Ｂは手のこう部分４に沿うように湾曲形状に構成されたものである。【選択図】        図１
2004229904.tif 000002
【特許請求の範囲】
【請求項１】
スキーストックを構成する棒状部材の上部に設けられるグリップ構造であって、グリップ本体の上部には覆い体が連設され、この覆い体はグリップ本体を握持する手の親指と人差し指との間の指間部分に位置する係止部と、この係止部に連設され、手のこう部分を覆う覆い部とから成り、前記覆い部の下端とグリップ本体との間には手のこう部分が位置する空間が形成され、更に、該覆い部は手のこう部分に沿うように湾曲形状に構成されたものであることを特徴とするスキーストックのグリップ構造。
【請求項２】
請求項１記載のスキーストックのグリップ構造において、前記係止部はグリップ本体の後方向へ直線状に突設されていることを特徴とするスキーストックのグリップ構造。
【請求項３】
請求項１，２のいずれか１項に記載のスキーストックのグリップ構造において、前記覆い体はグリップ本体を握持する手の手首に達しない長さに設定されていることを特徴とするスキーストックのグリップ構造。
【請求項４】
請求項１〜３のいずれか１項に記載のスキーストックのグリップ構造において、前記覆い体は適度な撓み弾性を具備する板状体であり、グリップ本体を握持する手のこう部分を押圧し得るように構成されていることを特徴とするスキーストックのグリップ構造。
【請求項５】
請求項１〜４のいずれか１項に記載のスキーストックのグリップ構造において、前記覆い体は合成樹脂製であることを特徴とするスキーストックのグリップ構造。
【請求項６】
請求項１〜５のいずれか１項に記載のスキーストックのグリップ構造において、前記グリップ本体には該グリップ本体の表面から突出し、グリップ本体を握持する２本の指同士で挟み込む挟み込み体が設けられ、この挟み込み体には、該挟み込み体を２本の指同士で挟み込んだ際に該２本の指の外側に係止される係止体が設けられ、該係止体と前記グリップ本体とで前記挟み込み体を挟み込んだ２本の指を保持し得るように構成されていることを特徴とするスキーストックのグリップ構造。
【発明の詳細な説明】
【０００１】
【発明の属する技術分野】
本発明は、スキーストックのグリップ構造に関するものである。
【０００２】
【従来の技術及び発明が解決しようとする課題】
スキーで使用されるスキーストックのグリップには、手とグリップとの分離を防ぐ為、紐体（通称：ストラップ）が設けられているが、例えば雪面を突いて強い衝撃を受けた際や雪面を突き損なった際など、滑走中にグリップを握持する手が不意に開いてしまうと、手からグリップが脱落してしまう（ストラップの存在によりスキーストックを雪面に落として置き去りにしてしまうことはない。）。
【０００３】
つまり、このストラップは、スキーストックを雪面に落として置き去りにしてしまうのを防止するものに過ぎず、この場合、この脱落させたグリップを握り直す行為は、滑走バランスを崩し易く、よって、転倒の原因となり危険であるのは勿論、競技中であれば大きなタイムロスとなり、技術検定中であれば減点の対象となってしまう。
【０００４】
また、このストラップは、実際に握る場合には、ストラップの下方から手を通し、グリップとの間にストラップを位置せしめたまま握ることになるが、握るのが煩わしいのは勿論、手とグリップとの一体感が少ないとされる。
【０００５】
そこで、従来、手からグリップが脱落するのを防止し得る構造（以下、従来例という。）が提案されている。
【０００６】
この従来例は、図１に図示したようにグリップ３２を握持する手の手首部分をホールドするホールド体３３を設けた構造であり、このホールド体３３は、樹脂製のグリップ３２の上部に突出状態に設けられる。
【０００７】
この従来例であれば、仮にグリップ３２を握持する手を開いても、常にグリップ３２を手の内側所定位置に保持しておくことができ、よって、手からグリップ３２が脱落することが可及的に防止され、滑走中に手が不意に開いても、すぐにグリップ３２の握り直しが可能である。
【０００８】
ところが、従来例は、常に手首に拘束感（違和感）がある為、雪面にスキーストック３１を突こうとして手首を曲げる際などに、この拘束感が原因でストックワークに支障を来たしてしまい、しかも、リフトに乗る際や持ち運びの際など邪魔となる場合がある為、一般のスキーヤーにとっては不適であり、更に、この従来例もやはり手とグリップ３２との十分な一体感が得られない。
【０００９】
本出願人は、上述の問題点に着目し、画期的なスキーストックのグリップ構造を開発した。
【００１０】
【課題を解決するための手段】
添付図面を参照して本発明の要旨を説明する。
【００１１】
スキーストックを構成する棒状部材１の上部に設けられるグリップ構造であって、グリップ本体２の上部には覆い体６が連設され、この覆い体６はグリップ本体２を握持する手の親指３ａと人差し指３ｂとの間の指間部分５に位置する係止部６Ａと、この係止部６Ａに連設され、手のこう部分４を覆う覆い部６Ｂとから成り、前記覆い部６Ｂの下端とグリップ本体２との間には手のこう部分４が位置する空間Ｓが形成され、更に、該覆い部６Ｂは手のこう部分４に沿うように湾曲形状に構成されたものであることを特徴とするスキーストックのグリップ構造に係るものである。
【００１２】
また、請求項１記載のスキーストックのグリップ構造において、前記係止部６Ａはグリップ本体２の後方向へ直線状に突設されていることを特徴とするスキーストックのグリップ構造に係るものである。
【００１３】
また、請求項１，２のいずれか１項に記載のスキーストックのグリップ構造において、前記覆い体６はグリップ本体２を握持する手の手首に達しない長さに設定されていることを特徴とするスキーストックのグリップ構造に係るものである。
【００１４】
また、請求項１〜３のいずれか１項に記載のスキーストックのグリップ構造において、前記覆い体６は適度な撓み弾性を具備する板状体であり、グリップ本体２を握持する手のこう部分４を押圧し得るように構成されていることを特徴とするスキーストックのグリップ構造に係るものである。
【００１５】
また、請求項１〜４のいずれか１項に記載のスキーストックのグリップ構造において、前記覆い体６は合成樹脂製であることを特徴とするスキーストックのグリップ構造に係るものである。
【００１６】
また、請求項１〜５のいずれか１項に記載のスキーストックのグリップ構造において、前記グリップ本体２には該グリップ本体２の表面から突出し、グリップ本体２を握持する２本の指同士で挟み込む挟み込み体７が設けられ、この挟み込み体７には、該挟み込み体７を２本の指同士で挟み込んだ際に該２本の指の外側に係止される係止体８が設けられ、該係止体８と前記グリップ本体２とで前記挟み込み体７を挟み込んだ２本の指を保持し得るように構成されていることを特徴とするスキーストックのグリップ構造に係るものである。
【００１７】
【発明の作用及び効果】
本発明は、グリップ本体２の上部には覆い体６が連設され、この覆い体６はグリップ本体２を握持する手の親指３ａと人差し指３ｂとの間の指間部分５に位置する係止部６Ａと、この係止部６Ａに連設され、手のこう部分４を覆う覆い部６Ｂとから成る構成であり、よって、手が不意に開いても手からグリップ本体２が不意に脱落してしまうことは可及的に防止される。
【００１８】
即ち、例えば滑走中にスキーヤーがバランスを崩すなどして不意に手を開いてしまった場合、或いは、グリップ本体２を握持する手を緩めた場合でも、覆い体６に係る係止部６Ａが親指３ａと人差し指３ｂとの間の指間部分５に係止した状態であるから、手からグリップ本体２が脱落してしまうのは可及的に防止されることになり、そして、覆い部６Ｂの下端とグリップ本体２との間には手のこう部分４が位置する空間Ｓが形成され、更に、該覆い部６Ｂは手のこう部分４に沿うように湾曲形状に構成されたものであるから、グリップ本体２が握り易く、しかも、グリップ本体２を握持した際には確実に覆い部６Ｂが手のこう部分４を覆う状態（ホールドする状態）となって良好な一体感が得られることになる。
【００１９】
以上のように、本発明は、従来にない画期的な作用効果を発揮する。
【００２０】
【発明の実施の態様】
図面は本発明の一実施例を図示したものであり、以下に説明する。
【００２１】
本実施例は、スキースキーストックを構成するポール部材１（棒状部材）に設けられるものである。
【００２２】
以下、本実施例に係る構成各部について詳細な説明をする。
【００２３】
グリップ本体２は、適宜な合成樹脂製の部材（熱可塑性プラスチック）を形成したものであり、その下端面から内部にかけてスキーストックを構成するポール部材１の上端部に被嵌連結する被嵌孔（図示省略）が形成されている。
【００２４】
また、グリップ本体２は、その上端部後方位置に所定巾を有する一本の帯状（板状）の覆い体６が突出状態に設けられている。
【００２５】
更に具体的に説明すると、覆い体６は、グリップ本体２を握持する手の親指３ａと人差し指３ｂとの間の指間部分５を覆う係止部６Ａと、該係止部６Ａに連設され、手のこう部分４を覆う覆い部６Ｂとで構成され、この覆い体６に係る覆い部６Ｂの下端とグリップ本体２との間には手のこう部分４が位置する空間Ｓが形成される構成であり、更に、該覆い部６Ｂは手のこう部分４に沿うように湾曲形状に構成されている。
【００２６】
また、覆い部６Ｂは、グリップ本体２の下方へ向けて円弧状に突出形成されており、左手用の場合は、グリップ本体２の軸芯線Ｘに対して外側傾斜状態（角度α）に設けられている（右手用は左手用と逆）。
【００２７】
また、覆い体６は、図４に図示したように係止部６Ａをグリップ本体２の後方向へ直線状に延設しており、この覆い体６の長さを、グリップ本体２を握持する手の手首に達しない長さに設定している。
【００２８】
従って、前述した従来例と異なり、覆い体６がグリップ本体２を握持する手首に圧迫感を与えることはなく、ストックワークで重要となる手首に違和感や拘束感を感じることは一切なく、しかも、この直線状とした係止部６Ａが親指３ａと人差し指３ｂとの間の窪みにはまり込むことになり、滑走中に手のひらの中でグリップ本体２が図４中矢印ａ方向に回り込んでしまうことが可及的に防止されることになる。尚、係止部６Ａをグリップ本体２を握持する手の大きさに応じて長さ調整が行えるように設計しても良く、この場合、グリップ本体２を握持する手の手首に達しない長さの範囲内で調整可能となるように設計することが望ましい。
【００２９】
また、覆い体６は、合成樹脂製故に適度な撓み弾性を具備し、グリップ本体２を握持する手のこう部分４に押圧状態で当接するように構成されており、この覆い体６の柔軟度合いは常に湾曲形状を保持する程度の硬度を有する柔軟度合いである。
【００３０】
従って、グリップ本体２を握ると、覆い体６は手のこう部分４に押圧状態で当接することになり、この状態で仮にグリップ本体２を握る手を開いたり、グリップ本体２を握持する手を緩めたりしても、係止部６Ａが親指３ａと人差し指３ｂとの間の指間部分５で係止し、更に、覆い部６Ｂが手のこう部分４を覆う状態（ホールドする状態）となるから、グリップ本体２は常に手のひら部分に維持されることになり不意に脱落することはない（図５，６参照）。
【００３１】
尚、本実施例は、覆い体６をグリップ本体２とは別体とし、既存のグリップ本体２に設けられたストラップを連結する為の連結部（図示省略）を利用してグリップ本体２に着脱自在とする構成であるが、グリップ本体２と一体成形しても良く、別体の場合、仮にグリップ本体２或いは覆い体６のいずれかが破損した場合には、破損した方のみを取り替えることができることになる。
【００３２】
また、グリップ本体２には、挟み込み体７と係止体８とから成る脱落防止構造が別途設けられている。
【００３３】
具体的には、グリップ本体２の正面下方位置にしてグリップ本体２を握持する手の薬指３ｄと小指３ｅを掛ける位置の間には、前記被嵌孔に連通する孔２ａが形成されており、この孔２ａは、挟み込み体７を嵌挿し得るように構成されている。
【００３４】
挟み込み体７は、紐状部材で構成されており、前述したグリップ本体２の孔２ａと被嵌孔を通過させ、その上端部を当該グリップ本体２の孔２ａから突出状態となるように配設し、その下端部を当該グリップ本体２の被嵌孔から突出状態となるように配設し、この状態で被嵌孔をポール部材１に被嵌連結することで固定される。従って、グリップ本体２の孔２ａから突出する上端突出部位はグリップ本体２を握持する２本の指（薬指３ｄと小指３ｅ）で挟み込むことができる。
【００３５】
尚、紐状部材を構成する素材としては、ストラップと同様な材質としたり、或いは、適度な柔軟性を有するゴム製としたりするなど指で挟み込んだ際に違和感を感じないものが良い。
【００３６】
従って、挟み込み体７は、グリップ本体２の被嵌孔がポール部材１に圧接状態で被嵌状態となる為、上下方向にスライド移動可能であるが、グリップ本体２とポール部材１との圧接により止めた箇所で保持されることになる。
【００３７】
尚、挟み込み体７を挟む指は薬指３ｄと小指３ｅのみに限られるものではなく、他の指同士でも挟み込めるように構成しても良く、また、挟み込み体７を複数設けて、例えば薬指３ｄと小指３ｅ、人差し指３ｂと中指３ｃの二箇所で挟み込む構成としても良く、また、挟み込み体７を帯状とすれば指同士の間に挟み込んでも何ら違和感の無い使用が可能となる。
【００３８】
また、挟み込み体７は、その上端部に挟み込み体７を挟んだ２本の指の外側に係止される係止体８が設けられている。
【００３９】
この係止体８は、適宜な合成樹脂製の部材を円錐体状に形成したものであり、その裏面側にして中央部に前述した挟み込み体７が連結されている。
【００４０】
また、係止体８は、この挟み込み体７を挟んだ２本の指３ｄ，３ｅの外側に架設状態に係止するように構成されており、係止体８の径は２本の指３ｄ，３ｅの間から抜けない程度の径に設定されている。
【００４１】
また、係止体８には、図２，５，６に図示したようにその表面側にして中央部に金属リング状の摘み部材９が設けられたタイプのものや、図７に図示したようにこの摘み部材９がないタイプのものがある。従って、この係止体８或いは摘み部材９を摘んで挟み込み体７を引っ張ると、グリップ本体２の表面と係止体８との対向間隔を広げることができ、反対に、グリップ本体２の被嵌孔から突出する部分（引っ張り用摘み１０）を引っ張ると、グリップ本体２の表面と係止体８との対向間隔を狭めることができ、この両者の対向間隔を狭めることで挟み込み体７を挟んだ２本の指３ｄ，３ｅに対する係止体８とグリップ本体２との強い挟持状態が得られ、手とグリップ本体２との一体感が生まれることになる。また、係止体８及び引っ張り用摘み１０は、挟み込み体７のグリップ本体２からの抜け止め機能も達成する。
【００４２】
また、図７に図示したタイプの係止体８は、その正面形状を楕円形状（円形状でも良い）とし、この係止体８の内面にして長さ方向に凹湾曲状の溝部８ａが一対形成されており、この溝部８ａは、係止体８により薬指３ｄと小指３ｅを挟み込んだ際、薬指３ｄと小指３ｅが嵌合状態となり、この薬指３ｄと小指３ｅに圧迫感（違和感）を与えない為の構成である（図８，９参照）。
【００４３】
本実施例は上述のように構成したから、グリップ本体２を握持するに際し、覆い体６に下方から手を通すと、覆い体６に係る係止部６Ａが親指３ａと人差し指３ｂとの間の部分５に係止した状態となるとともに、覆い部６Ｂが手のこう部分４を押圧して覆う状態（ホールドする状態）となり、そして更に、グリップ本体２から突出する挟み込み体７をグリップ本体２を握持する２本の指（薬指３ｄと小指３ｅ）同士で挟み込むと、挟み込み体７に設けられた係止体８が当該指３ｄ，３ｅの外側に係止し、この係止体８とグリップ本体２とで挟み込み体７を挟んだ指３ｄ，３ｅが挟持された状態となる。尚、指で挟み込み体７を挟み込む際、グリップ本体２と係止体８との対向間隔を広げておいた方が挟み込み易く、挟んだ後、挟み込み体７の下端部（引っ張り用摘み１０）を引っ張るようにしてグリップ本体２と係止体８との対向間隔を狭めるようにして、指３ｄ，３ｅに対する挟持を強めるようにするのが望ましい。
【００４４】
よって、本実施例によれば、手を開いたりグリップ本体２を握持する手を緩めたりしたとしても手からグリップ本体２が不意に脱落してしまうのは可及的に防止され、直ちに手を握持し直せば良く、よって、特に競技や技術検定で使用するスキーストックのグリップ構造として極めて優れた性能を発揮することになる。
【００４５】
また、本実施例は、覆い体６に係る覆い部６Ｂとグリップ本体２との間には手のこう部分４が位置する空間Ｓが形成される構成であり、この空間Ｓは、グリップ本体２に対する握持の簡易化は勿論、スキーでの転倒時におけるスキーストックによる危険を回避することに貢献する。
【００４６】
即ち、例えば従来から提案されるストラップ構造の場合、転倒しても手から外れにくい為、転倒した後もスキーヤーの身体にスキーストックがまとわり付くなどの危険な場合が懸念されるが、この点、本実施例に係る覆い体６構造は、グリップ本体２を握る手を開いたり、グリップ本体２を握持する手を緩めた程度では外れず、転倒した場合には、この覆い体６の下方に設けた空間Ｓ（開口部）から簡単に外れる構造であるから、前述した転倒時に生じ得る問題点が確実に解消されることになる。
【００４７】
また、本実施例は、覆い体６は適度な撓み弾性を具備する湾曲板状体であり、グリップ本体２を握持する手のこう部分４を押圧し得るように構成されているから、何ら調整が要らず覆い体６の空間Ｓから手を通してグリップ本体２を握持するだけで良好な一体感が得られることになる。
【００４８】
また、本実施例は、グリップ本体２に挟み込み体７と係止体８とから成る固定構造を設けることで、強く握らなくても非常に一体感（密着感）があり、前述した従来例のような拘束感や圧迫感がなく良好な使用状態が得られ、しかも、手からグリップ本体２が脱落することが確実に防止できるから、一般のスキーヤーには勿論、競技や技術検定で使用するスキーストックのグリップ構造としてより一層有効である。
【００４９】
また、本実施例は、コンパクトにできるからリフトに乗る際や持ち運ぶ際などの邪魔になることはない。
【００５０】
また、本実施例は、グリップ本体２に対する係止体８の対向間隔を可変し得る構成の為、指（実際にはグローブを嵌めた指）の太さに合わせて調整することができ、しかも、係止体８とグリップ本体２との指に対する挟持度合いもユーザーの思い通りに調整することができる。
【００５１】
尚、本発明は、本実施例に限られるものではなく、各構成要件の具体的構成は適宜設計し得るものである。
【図面の簡単な説明】
【図１】従来例を示す斜視図である。
【図２】本実施例を示す側面図である。
【図３】本実施例を示す背面図である。
【図４】本実施例を示す平面図である。
【図５】本実施例の使用状態説明図である。
【図６】本実施例の使用状態説明図である。
【図７】別実施例の使用状態説明図である。
【図８】別実施例に係る要部の説明図である。
【図９】別実施例の使用状態説明図である。
【符号の説明】
Ｓ  空間
１  棒状部材
２  グリップ本体
３ａ  親指
３ｂ  人差し指
４  手のこう部分
５  指間部分
６  覆い体
６Ａ  係止部
６Ｂ  覆い部
７  挟み込み体
８  係止体
【図１】
2004229904.tif 000003
【図２】
2004229904.tif 000004
【図３】
2004229904.tif 000005
【図４】
2004229904.tif 000006
【図５】
2004229904.tif 000007
【図６】
2004229904.tif 000008
【図７】
2004229904.tif 000009
【図８】
2004229904.tif 000010
【図９】
2004229904.tif 000011